(57)【要約】【課題】複数回行われる状態変化等の通知を通信を介して他の機器から停止することを可能とする通信制御処理装置及びプログラムを提供すること。【解決手段】状態変化情報通信制御処理部１２０において、通知停止指示情報処理部１０を具備し、ネットワークを介した他の機器から通知停止指定の電文を受信した場合に、その内容により通知回数情報保持部１３０に保持した回数の通知を行わずに停止するように構成することにより、ネットワーク上の不要な通知電文の送信を防げ、通知を受ける機器側の処理負荷軽減、及び、ネットワークのトラフィック軽減となる。【選択図】図１
2005117382.tif 000002
【特許請求の範囲】
【請求項１】
通信により機器の状態変化を通知する状態変化情報通知制御処理部において、状態変化時の通知の停止を他の機器からの指示により行う通知停止指示情報処理部を具備する通信制御処理装置。
【請求項２】
通知停止指示情報処理部は、指定のあった通知停止対象が現在通知中のものかどうかを確認し、現在通知中のものであれば、通知を停止する処理を行う請求項１記載の通信制御処理装置。
【請求項３】
通知停止指示情報処理部は、指定のあった通知停止対象の通知内容が、現在通知中の内容と同じかどうかを確認し、現在通知中の内容と同じであれば、通知を停止する処理を行う請求項２記載の通信制御処理装置。
【請求項４】
通知停止指示情報処理部は、指定のあった通知停止指示送信元の情報が、予め保持している対象情報と同じかどうかを確認し、同じであれば、通知を停止する処理を行う請求項１〜３のいずれか１項記載の通信制御処理装置。
【請求項５】
通信により他の機器の状態変化情報を検出し処理する機器情報解析処理部において、状態変化情報を受信時に、状態変化を通知してきた機器に対して通知の停止を指示する電文を返信する他機器状態通知停止処理部を具備する通信制御処理装置。
【請求項６】
他機器状態通知停止処理部は、状態変化を通知してきた機器に対して通知を停止すべき対象を指定する電文を構成して送信する請求項５記載の通信制御処理装置。
【請求項７】
他機器状態通知停止処理部は、状態変化を通知してきた機器に対して通知を停止すべき対象の通知内容を指定する電文を構成して送信する請求項５記載の通信制御処理装置。
【請求項８】
他機器状態通知停止処理部は、状態変化を通知してきた機器に対して要求元である自身の情報を指定する電文を構成して送信する請求項５〜７のいずれか１項記載の通信制御処理装置。
【請求項９】
状態変化通知の停止を指示する電文は、通知対象の情報を含む請求項１〜８のいずれか１項記載の通信制御処理装置。
【請求項１０】
状態変化通知の停止を指示する電文は、停止通知対象の情報と、通知停止対象情報の内容を含む請求項３、７のいずれか１項記載の通信制御処理装置。
【請求項１１】
状態変化通知の停止を指示する電文は、停止通知対象の情報と、通知停止要求元の情報を含む請求項４、８のいずれか１項記載の通信制御処理装置。
【請求項１２】
請求項１〜１１のいずれか１項記載の通信制御処理装置の機能の少なくとも一部をコンピュータに処理させるためのプログラム。
【発明の詳細な説明】
【技術分野】
【０００１】
本発明は、同報通信により機器の状態変化などの状態をアナウンスするシステムにおいて、アナウンスを受け取った機器からアナウンスの再送を停止することを可能とする通信制御処理装置及びプログラムに関するものである。
【背景技術】
【０００２】
従来、ネットワークにより接続されたシステムにおいて、コントローラが特定できない（使われ方により相手先が特定できない、特定することで汎用性が無くなるような）機器では、状態が変化した時には、一斉同報にてその状態を報知していた。例えば、汎用的な利用を目的とした人体検知センサなどは、コントローラの特定をすることなく、情報が必要な機器が利用できるように、人体（微動含む場合もある）検知の検知状態が変わった段階で一斉同報を行うように構成していた。
【０００３】
具体的な例として、対象となるネットワークの一つであるECHONET（Ｒ）（http://www.echonet.gr.jp/参照）の規格においては、この人体検知センサに対して、「人体検知センサクラス」が規定されており（非特許文献参照）、この中で、人体検知状態は、「状変時アナウンス（通知）」（状態変化した時の一斉同報電文送信）が必須として規定されている。
【０００４】
こうした規格においては、汎用性が重視されることもあり、「状変時アナウンス（通知）」の送信回数や送信期間については、特に規定されていない。その為、システムを組む場合には、予め一斉同報で送信する回数を保持しておき、その情報に基づいて「状変時アナウンス（通知）」を行っていた。
【０００５】
図１１〜１５は、本発明の適用されるシステム及び従来の一般的な「状変時アナウンス（通知）」を行う際の通信制御処理装置の構成を示すものである。図１１は、本発明が適用される通信システムの１構成例を、図１２は、従来の「状変時アナウンス（通知）」に関る通信制御処理装置（機器及びコントローラ）の構成例を、図１３は、従来の「状変時アナウンス」に関る状態変化情報通知制御処理部の構成例を、図１４は、本発明の適用される状態変化を通知する際の電文構成の一部の構成例を、図１５は、「状変時アナウンス（通知）」が行われる場合のシーケンスの一例を示す。図１１〜１５を用いて、本発明の適用されるシステム及び従来の技術について説明する。
【０００６】
本発明の適用されるネットワーク１１０において、機器Ｂ１１２が人感センサであった場合、機器B１１２が人の動きを検出（図１５の１５１）すると、機器状態管理部（図１２の）１２１の人体検知の状態が変化し、これを検出した機器制御処理部１２２は、状態変化情報通知制御処理部１２０へ、人体検知状態の変化を知らせる。人体検知状態の変化を知った状態変化情報通知制御処理部１２０は、「状変時アナウンス（通知）」用の電文を生成し、通信制御処理部１２３、送受信回路部１２４を介してネットワーク１１０へ一斉同報にて送信する（１５２）。
【０００７】
「状変時アナウンス（通知）」用の電文としては、例えばECHONET（Ｒ）の例でいけば、図１４に示すように、要求応答通知を指定するESVコード部１４１、要求応答通知対象（情報種別）を指定するEPC部１４２、具体的な内容を示すEDTデータ部１４３を構成要素として含む。
【０００８】
人体検知時の例では、ESV部１４１が通知を示す０ｘ７３、EPC部が人体検知状態を示す０ｘＢ１（１４２ｂ）、EDT部が人体検知有りを示す０ｘ４１（１４３ｂ）となる。人体検知以外の例えばセンサの何らかの異常検出時には、EPC部が０ｘ８８（１４２ａ）、EDT部が異常有りであれば０ｘ４１（１４３ａ）となる。
【０００９】
機器A１１１の機器情報解析処理部１２７は、前記状態変化通知電文１５２を送受信回路部１２５、通信制御処理部１２６を介して受け取り、機器B１１２での状態変化（人体検知）を検出する（１５３）。機器情報解析処理部１２７からの人体検知の通知を受けたシステム制御処理部１２８では、例えば、コントローラの画面制御に割り込ませる形で、人体検知の通知を行う。
【００１０】
上記の一連の「状変時アナウンス」は、機器B１１２の状態変化情報通知制御処理部１２０に予め保持（通信等により設定される場合もある）された通知回数情報保持部１３０内の情報に従い、同じ情報に対して複数回行われる（１５４、１５５）。
【００１１】
尚、通常複数回の送信は、一般的に一斉同報は応答を要求しない通知であり、ネットワークの状態によっては、確実に必要な対象へ情報が到達したかどうか不明の為、行われるものである。この時、コントローラ等の機器Ａ１１１においては、何度も状態変化の通知を受け取る（１５３、１５５）ことになり、何度もコントローラの動きの中断（割り込み）が発生し、システムによっては、利用者の不満に繋がるといったものであった。
【００１２】
また、この状態変化の通知の回数によっては、ネットワークの伝送速度が遅い場合などには、無用なネットワーク上のトラフィックを増やし、本来通信したい他の情報が通信できない、という状況も引き起こす可能性が高い。また、再送を全く行わないと、一度通信に失敗するとその情報がコントローラ等必要な機器へ到達しないこととなり、システムとしての信頼性が落ちる。
【非特許文献１】エコーネット（Ｒ）コンソーシアム発行、ECHONET（Ｒ）規格書Version2.11、2002年4月26日、APPENDIX  P.1-10，第２部  P.5-7，第２部  P.9-9
【発明の開示】
【発明が解決しようとする課題】
【００１３】
前記したように、前記従来の方法及び構成では、コントローラ側で何度も同じ情報の通知を受け取ることとなり、コントローラ側での利用者対応など不満が出るか、不満解消には処理が複雑となる。また、状態変化の通知回数によっては、最初の通知でコントローラ側が受け取れたとしても、不要な情報を何度も再送されることとなり、不要な情報がネットワーク上に送信され、場合によっては（ネットワークの状態によっては）不要なトラフィック増大となり、本来必要な電文が送信できない端末が出てくる可能性もある。
【００１４】
また、逆に通知回数を１回としてしまうと、ネットワークの状態によっては、コントローラへ届いていない場合があり、システムとして機能しない可能性もあるといった課題を有していた。
【００１５】
本発明は、前記従来の課題を解決するもので、複数回行われる状態変化等の通知を通信を介して他の機器から停止することを可能とする通信制御処理装置を提供することを目的とする。
【課題を解決するための手段】
【００１６】
前記従来の課題を解決するために、本発明の通信制御処理装置及びプログラムは、通信により機器の状態の変化通知電文の送信（再送）を行っている時、他の機器から状態変化通知の停止を要求する電文を受信した場合に、その内容を解析して状態の変化通知電文の送信（再送）を停止する処理を行う通知停止指示情報処理部を具備する構成としたものである。
【００１７】
これによって、通知の送信側では、不要な通知をすることが防げ、処理負荷が軽減されると共に、ネットワーク上のトラフィックの無用な増大が防げるようになる。
【００１８】
また、本発明の通信制御処理装置及びプログラムは、通信停止指定のあった電文の内容を解析し、通知停止指定対象を確認後に、現在通知中の指定されたものの通知を停止する処理を行う構成としたものである。
【００１９】
これによって、複数の状態変化情報の通知を行っている状態であっても、通知の必要な状態変化まで停止してしまうということがなくなり、複数の状態変化情報の通知を不具合無く実現できるものである。
【００２０】
また、本発明の通信制御処理装置及びプログラムは、通知停止指定のあった電文の内容を解析し、通知停止指定対象及びその停止通知情報を確認後に、現在通知中の指定されたものの通知を停止する処理を行う構成としたものである。
【００２１】
これによって、最初の通知後に状態が変化し、通知停止指定の電文を受け取った段階では別の状態の通知をしているような場合には、通知を停止することなく状態の変化を通知することができるものである。
【００２２】
また、本発明の通信制御処理装置及びプログラムは、通知停止指定のあった電文の内容を解析し、通知停止してきた機器の情報が、自身が通知したい相手先（或いは、通知の停止を許可している相手先）であった場合にのみ現在通知中の指定されたものの通知を停止する処理を行う構成としたものである。
【００２３】
これによって、複数のコントローラが存在するシステムにおいて、一般的に存在するコントローラ以外で、明示的に受け取って欲しい（状態変化を通知したい）相手に対して、通知を続けることできるものである。
【００２４】
また、本発明の通信制御処理装置及びプログラムは、通信により他の機器からの状態通知電文を受け取った際に、処理する必要のある他の機器の状態変化通知かどうかを判断し、処理対象である場合には、状態変化を通知してきた機器に対して通知の停止を指示する電文を返信する他機器状態通知停止処理部を具備する構成としたものである。
【００２５】
これによって、通知の受信側では、何度も同じ通知を受け取ることがなくなり、受信電文の処理負荷が軽減される。
【００２６】
また、本発明の通信制御処理装置及びプログラムは、通信により他の機器からの状態通知電文を受け取った際に、処理する必要のある他の機器の状態変化通知かどうかを判断し、処理対象である場合には、通知停止指定対象の情報を設定した通信停止指定の電文を生成し、状態通知電文の送信元へ送信の処理を行う構成としたものである。
【００２７】
これによって、複数の状態変化情報の通知を他の機器が持っている状態において、既にうけとった状態のみ通知の停止ができることになり、必要な状態変化の通知を受け取れなくなるということがなくなり、複数の状態変化の検知を不具合無く実現できるものである。
【００２８】
また、本発明の通信制御処理装置及びプログラムは、通信により他の機器からの状態通知電文を受け取った際に、処理する必要のある他の機器の状態変化通知かどうかを判断し、処理対象である場合には、通信停止要求を行う自身の情報を電文のデータとして入れた電文を生成し、状態通知電文の送信元へ送信の処理を行う構成としたものである。
【００２９】
これによって、通知元の機器が通知停止を送信した機器と関連付けがなされている場合には、関連付けられた機器においては、不要な通知を受信すること無く前記通知元の機器からの通知を利用する他の機器との共存がはかれることになるものである。
【００３０】
また、本発明の通信制御処理装置及びプログラムが処理する状態変化の通知の停止を指示する電文は、通知対象の情報を含む構成としたものである。
【００３１】
これによって、一つの機器で複数の状態変化の通知が発生している場合であっても、特定の一つだけの通知の停止を指定できるようになるものである。
【００３２】
また、本発明の通信制御処理装置及びプログラムが処理する状態変化の通知の停止を指定する電文は、通知停止対象の情報と、通知停止対象情報の内容を含む構成としたものである。
【００３３】
これによって、一つの機器で短時間の間に状態が変化した場合であっても、まだ伝わっていない状態の通知を誤って停止することがなくなるものである。
【００３４】
また、本発明の通信制御処理装置及びプログラムが処理する状態変化の通知の停止を指定する電文は、通知停止対象の情報と、通知停止要求元の情報を含む構成としたものである。
【００３５】
これによって、複数の通知情報を利用するコントローラ等通知の受信機器があった場合に、必ず通知する必要のある機器を特定して通知の停止を行うことができるものである。
【発明の効果】
【００３６】
本発明の通信制御処理装置及びプログラムは、複数回行われる一斉同報などによる状態変化等の通知を、通信を介して停止することができ、不要なトラフィックの削減となるだけでなく、送信側、受信側機器の通知電文に対する処理の軽減にも繋がる。
【発明を実施するための最良の形態】
【００３７】
第１の発明は、通信により機器の状態変化通知電文の送信（再送）を行っている時、他の機器から状態変化通知の停止を要求する電文を受信した場合に、その内容を解析して状態の変化通知電文の送信（再送）を停止する処理を行う通知停止指示情報処理部を具備することにより、通知の送信側では、不要な通知送信が防げ、処理負荷が軽減されると共に、ネットワーク上のトラフィックの軽減となる。
【００３８】
第２の発明は、通信停止指定のあった電文の内容を解析し、通知停止指定対象を確認後に、現在通知中の指定された対象の通知を停止する処理を行う構成とすることにより、複数の状態変化情報の通知を行っている状態であっても、通知の必要な状態変化まで停止してしまうということがなくなり、複数の状態変化情報の通知を並行して処理できる。
【００３９】
第３の発明は、通知停止指定のあった電文の内容を解析し、通知停止指定対象及びその停止通知情報を確認後に、現在通知中の指定された対象の通知を停止する処理を行う構成とすることにより、最初の通知後に状態が変化し、通知停止指定の電文を受け取った段階では別の状態の通知しようとしているような場合には、通知を停止することなく状態の変化を通知することができる。
【００４０】
第４の発明は、通知停止指定のあった電文の内容を解析し、通知停止してきた機器の情報が、自身が通知したい相手先（或いは、通知の停止を許可している相手先）であった場合にのみ現在通知中の指定された対象の通知を停止する処理を行う構成とすることにより、複数のコントローラが存在するシステムにおいて、一般的に存在するコントローラ以外で、明示的に受け取って欲しい（状態変化を通知したい）相手に対して、通知を続けることができる。
【００４１】
第５の発明は、通信により他の機器からの状態通知電文を受け取った際に、処理する必要のある他の機器の状態変化通知かどうかを判断し、処理対象である場合には、状態変化を通知してきた機器に対して通知の停止を指示する電文を返信する他機器状態通知停止処理部を具備する構成とすることにより、通知の受信側では、何度も同じ通知を受け取ることがなくなり、受信電文の処理負荷が軽減できる。
【００４２】
第６の発明は、通信により他の機器からの状態通知電文を受け取った際に、処理する必要のある他の機器の状態変化通知かどうかを判断し、処理対象である場合には、通知停止指定対象の情報を設定した通信停止指定の電文を生成し、状態通知電文の送信元へ送信の処理を行うことにより、複数の状態変化情報の通知を他の機器が持っている状態において、既にうけとった状態のみ通知の停止ができることになり、同一機器からの他の状態変化の通知を受け取れなくなるということがなくなる。
【００４３】
第７の発明は、通信により他の機器からの状態通知電文を受け取った際に、処理する必要のある他の機器の状態変化通知かどうかを判断し、処理対象である場合には、通信停止要求を行う自身の情報を電文のデータとして入れた電文を生成し、状態通知電文の送信元へ送信の処理を行うことにより、通知元の機器が通知停止を送信した機器と関連付けがなされている場合には、関連付けられた機器においては、不要な通知を受信すること無く前記通知元の機器からの通知を利用する他の機器との共存がはかれる。
【００４４】
第８の発明は、状態変化の通知の停止を指示する電文を、通知対象の情報を含む構成とすることにより、一つの機器で複数の状態変化の通知が発生している場合であっても、特定の一つだけの通知の停止を指定できる。
【００４５】
第９の発明は、状態変化の通知の停止を指定する電文を、通知停止対象の情報と、通知停止対象情報の具体的内容を含む構成とすることにより、送信元の機器で短時間の間に状態が変化した場合であっても、まだ伝わっていない状態の通知を誤って停止することがなくなる。
【００４６】
第１０の発明は、状態変化の通知の停止を指定する電文を、通知停止対象の情報と、通知停止要求元の情報を含む構成とすることにより、通知情報を利用する複数のコントローラ等通知の受信機器があった場合に、必ず通知する必要のある機器にまだ通知が届いていない時点で通知を停止するということがなくなる。
【００４７】
以下、本発明の実施の形態について、図面を参照しながら説明する。なお、この実施の形態によって本発明が限定されるものではない。
【００４８】
（実施の形態１）
図１は、本発明における通知電文を送信する機器における通信制御処理装置の本発明にかかわる機能ブロック図を示し、図２は、本発明における通知電文を受信する機器における通信制御処理装置の本発明にかかわる機能ブロック図を示し、図３は、本発明にかかわる電文構成の一部の例をしめすものである。
【００４９】
図１において、状態変化情報通知制御処理部１２０は、通知回数情報保持部１３０に加えて、通知停止指示情報処理部１０を有している。図２において、機器A１１１は、他機器状態通知停止処理部２０を有している。図３において、停止通知を指定する電文の場合には、情報種別指定１４２で、例えば０ｘFEのコード（３０）が配置され、データ部１４３には、通知停止を指示する通知停止指示情報３１が配置される。
【００５０】
以上のように構成された機器、及び、電文において、図１、図２、図３、図１６、図１１、図１２を用いて、その動作、作用を説明する。
【００５１】
図４は、本発明によるシーケンスの一例を示す図である。４０は、通知電文を受け取る側の内部処理を示し、矢印４１は、通知電文を受け取った機器から通知電文送信元の機器への電文の受け渡しを示し、４２は、通知電文を送信する機器側の内部処理を示す。
【００５２】
本発明の適用されるネットワーク１１０において、機器B１１２が人の動きを検出（１５１）すると、機器状態管理部１２１の人体検知の状態が変化し、これを検出した機器制御処理部（図１２の）１２２は、状態変化情報通知制御処理部１２０へ、人体検知状態の変化を知らせる。人体検知状態の変化を知った状態変化情報通知制御処理部１２０は、「状変時アナウンス（通知）」用の電文を生成し、通信制御処理部１２３、送受信回路部１２４を介してネットワーク１１０へ一斉同報にて送信する（１５２）。
【００５３】
機器A１１１の機器情報解析処理部１２７は、前記電文１５２を送受信回路部１２５、通信制御処理部１２６を介して受け取り、機器B１１２での状態変化（人体検知）を検出する（１５３）。機器情報解析処理部１２７はこの時、通知電文を受信したということで、通知内容をシステム制御処理部１２８へ渡すとともに、他機器状態通知停止処理部（図２の）２０へも渡す。他機器状態通知停止処理部では、通知停止指定情報３１に通知停止指示コード３２（例えば、０ｘFFなど）を入れた電文を構成し送信するという通知停止送信処理（４０）を行い、機器Ａ１１１から通知停止指定の電文を送信（４１）する。
【００５４】
機器B１１２では、送受信回路部１２４、通信制御処理部１２３を介して、状態変化情報通知処理部１２０へ電文が渡される。この電文を受けた状態変化情報通知制御処理部１２０では、通知停止指示情報処理部（図１の）１０にて電文を解析し、通知停止指定であることを判断して、人体検知状態の通知を停止する（４２）。
【００５５】
尚、停止通知を受け取り、一旦所定の通知停止後、一定時間後に再度通知を開始するかどうかに関して、本件発明による規定内である（例えば、なんらかの明らかに異常とわかる内容を検知するような機器で、異常検知を通知していた時に、停止の指示により異常検知の通知を停止後、一定時間たっても異常が解除されていない場合などに再度送信を開始するという場合などである）。
【００５６】
以上のように、本実施の形態においては、状態変化等の通知が連続して行われることを外部から停止することができ、通知の送信側では、不要な通知をすることが防げ、処理負荷が軽減されると共に、ネットワーク上のトラフィックの無用な増大が防げるようになる。また、通知の受信側では、何度も同じ通知を受け取ることがなくなり、受信電文の処理負荷が軽減される。
【００５７】
（実施の形態２）
図１は、本発明における通知電文を送信する機器における通信制御処理装置の本発明にかかわる機能ブロック図を示し、図２は、本発明における通知電文を受信する機器における通信制御処理装置の本発明にかかわる機能ブロック図を示し、図５は、本発明にかかわる電文構成の一部の例をしめすものである。
【００５８】
図５において、停止通知を指定する電文の場合には、情報種別指定１４２で、例えば０ｘFEのコード（３０）が配置され、データ部１４３には、通知停止を指示する通知停止指示情報３１が配置され、さらにその通知停止指示情報の内容が、通知停止対象の情報種別を指定するコード５０となる。
【００５９】
以上のように構成された機器、及び、電文において、図１、図２、図５、図６、図１１、
図１２を用いて、その動作、作用を説明する。
【００６０】
図６は、本発明に関わるシーケンスの一例を示す図である。図６において、６０、６３、６７は、通知電文を送信する側の内部処理を示し、矢印６１、６５、６８は、通知電文の受け渡しを示し、矢印６６は、通知電文を受け取った機器から通知電文送信元の機器への電文の受け渡しを示し、６２、６４は、通知電文を受信する機器側の内部処理を示す。
【００６１】
例えば、機器B１１２がガス給湯機等複数の状態を報知する機能を持った機器とする。本発明の適用されるネットワーク（図１２の）１１０において、機器B１１２が給湯開始状態を検出（６０）すると、機器状態管理部１２１の給湯状態が変化し、これを検出した機器制御処理部１２２は、状態変化情報通知制御処理部１２０へ、給湯状態の変化（給湯開始）を知らせる。給湯状態の変化を知った状態変化情報通知制御処理部１２０は、給湯開始状態となったことを知らせる「状変時アナウンス（通知）」用の電文を生成し、通信制御処理部１２３、送受信回路部１２４を介してネットワーク１１０へ一斉同報にて電文の送信する（６１）。
【００６２】
機器A１１１の機器情報解析処理部１２７は、前記電文６１を送受信回路部１２５、通信制御処理部１２６を介して受け取り、機器B１１２での給湯状態変化（給湯開始）を検出する（６２）。機器情報解析処理部１２７はこの時、通知電文を受信したということで、通知内容をシステム制御処理部１２８へ渡すとともに、他機器状態通知停止処理部（図２の）２０へも渡す。他機器状態通知停止処理部２０では、通知停止指定情報３１に通知停止対象PCコード５０（例えば、給湯状態を示すPCが、０ｘ８８であった場合には、０ｘ８８）を入れた電文を構成し送信するという通知停止送信処理（１８４）を行い、機器Ａ１１１から通知停止指定の電文を送信（６５）する。
【００６３】
機器B１１２では、送受信回路部１２４、通信制御処理部１２３を介して、状態変化情報通知処理部１２０へ電文が渡される。この電文を受けた状態変化情報通知制御処理部１２０では、通知停止指示情報処理部（図１の）１０にて電文を解析し、給湯状態の通知停止指定であることを判断して、給湯状態の通知を停止する（６７）。
【００６４】
機器B１１２で、給湯状態の通知の停止（６６）を受け取る前に、ガス漏れ状態を検出（６３）を行い、そのガス漏れ状態の通知１８５を行っていた場合には、通知停止の指定の電文１８６が指定してきているものが、給湯状態であることから、ガス漏れ状態の通知は、その後も行う（６８）。これにより、例えば、図６で示したように、機器Ａ１１１の内部状態等により、後から発生したガス漏れ状態の通知６５が受け取れなかったとしても、機器B１１２から再度の状態変化の通知６８があるため、機器B１１２の状態がかわったことを認識できる。
【００６５】
以上のように、本発明の形態においては、状態変化等の通知が連続して行われることを対象となる状態を指定して外部から停止することができ、通知の送信側では、複数の状態変化情報の通知を行っている状態であっても、通知の必要な状態変化の通知まで停止してしまうということがなくなるものである。また、通知の受信側では、複数の状態変化情報の通知を他の機器が持っている状態において、既にうけとった状態のみ通知の停止ができることになり、必要な状態変化の通知を受け取れなくなるということがなくなるものである。
【００６６】
（実施の形態３）
図１は、本発明における通知電文を送信する機器における通信制御処理装置の本発明にかかわる機能ブロック図を示し、図２は、本発明における通知電文を受信する機器における通信制御処理装置の本発明にかかわる機能ブロック図を示し、図７は、本発明にかかわる電文構成の一部の例をしめすものである。
【００６７】
図７において、停止通知を指定する電文の場合には、情報種別指定１４２で、例えば０ｘFEのコード（３０）が配置され、データ部１４３には、通知停止を指示する通知停止指示情報３１が配置され、さらにその通知停止指示情報の内容が、通知停止対象のPCコード５０と停止対象通知内容情報５１からなる。
【００６８】
以上のように構成された機器、及び、電文において、図１、図２、図７、図８、図１１、図１２を用いて、その動作、作用を説明する。
【００６９】
図８は、本発明に関わるシーケンスの一例を示す図である。図８において、８１、８４は、通知電文を送信する側の内部処理を示し、矢印８２、８６、８８は、通知電文の受け渡しを示し、矢印８７は、通知電文を受け取った機器から通知電文送信元の機器への電文の受け渡しを示し、８３、８５、８９は、通知電文を受信する機器側の内部処理を示す。
【００７０】
例えば、機器B１１２が開閉センサ等同じ対象内で二つ以上の状態を持ち、どちらも発生する確率が同様になるような機器とする。本発明の適用されるネットワーク（図１２の）１１０において、機器B１１２が扉等の開状態を検出（８１）すると、機器状態管理部１２１の開閉状態が変化し、これを検出した機器制御処理部１２２は、状態変化情報通知制御処理部１２０へ、開閉状態の変化（開状態）を知らせる。開閉状態の変化を知った状態変化情報通知制御処理部１２０は、開状態となったことを知らせる「状変時アナウンス（通知）」用の電文を生成し、通信制御処理部１２３、送受信回路部１２４を介してネットワーク１１０へ一斉同報にて電文の送信する（８２）。
【００７１】
機器A１１１の機器情報解析処理部１２７は、前記電文８２を送受信回路部１２５、通信制御処理部１２６を介して受け取り、機器B１１２での給湯状態変化（給湯開始）を検出する（８３）。機器情報解析処理部１２７はこの時、通知電文を受信したということで、通知内容をシステム制御処理部１２８へ渡すとともに、他機器状態通知停止処理部（図２の）２０へも渡す。他機器状態通知停止処理部２０では、通知停止指定情報３１を構成する通知停止対象PCコード７０に開閉状態を示すPCコード（例えば値が０ｘE０であった場合には、０ｘE０）が入り、停止対象通知内容情報７１には、開状態を示す値を入れた電文を構成し送信するという通知停止送信処理（８５）を行い、機器Ａ１１１から通知停止指定の電文を送信（８７）する。
【００７２】
機器B１１２では、送受信回路部１２４、通信制御処理部１２３を介して、状態変化情報通知処理部１２０へ電文が渡される。この電文を受けた状態変化情報通知制御処理部１２０では、通知停止指示情報処理部（図１の）１０にて電文を解析し、開状態の通知停止指定であることを判断するが、既に状態が閉状態となって（状態変化（閉）検出１０４）いて既に状態通知も送信（８６）しており、閉状態の通知は停止しない。
【００７３】
これにより、例えば、図８で示したように、機器Ａ１１１の内部状態等により、後から状態が変化した開閉状態の通知８５が受け取れなかったとしても、機器B１１２から再度の状態変化の通知８８があるため、機器B１１２の状態がかわったことを認識できる。
【００７４】
以上のように、本発明の形態においては、状態変化等の通知が連続して行われることを対象となる状態を指定して外部から停止することができ、通知の送信側では、短時間の間に状態が変化する状態変化情報の通知を行っている状態であっても、まだ相手に届いていない状態内容の状態変化の通知まで停止してしまうということがなくなるものである。
【００７５】
また、通知の受信側では、複数の状態変化情報の通知を他の機器が持っている状態において、既にうけとった状態のみ通知の停止ができることになり、必要な状態変化の通知を受け取れなくなるということがなくなるものである。
【００７６】
（実施の形態４）
図１は、本発明における通知電文を送信する機器における通信制御処理装置の本発明にかかわる機能ブロック図を示し、図２は、本発明における通知電文を受信する機器における通信制御処理装置の本発明にかかわる機能ブロック図を示し、図９は、本発明にかかわる電文構成の一部の例をしめすものである。
【００７７】
図７において、停止通知を指定する電文の場合には、情報種別指定１４２で、例えば０ｘFEのコード（３０）が配置され、データ部１４３には、通知停止を指示する通知停止指示情報３１が配置され、さらにその通知停止指示情報の内容が、通知停止対象のPCコード７０と停止対象指示ノード情報７１からなる。
【００７８】
以上のように構成された機器、及び、電文において、図１、図２、図９、図１０、図１１、図１２を用いて、その動作、作用を説明する。
【００７９】
図１０は、本発明に関わるシーケンスの一例を示す図である。図１０において、１０１は、通知電文を送信する側の内部処理を示し、矢印１０２、１０６は、通知電文の受け渡しを示し、矢印１０５は、通知電文を受け取った機器から通知電文送信元の機器への電文の受け渡しを示し、１０３、１０４は、通知電文を受信する第１の機器側の内部処理を示し、１０７は、通知電文を受信する第２の機器側の内部処理を示す。
【００８０】
本発明の適用されるネットワーク（図１２の）１１０において、機器B１１２が人の動きを検出（１０１）すると、機器状態管理部１２１の人体検知の状態が変化し、これを検出した機器制御処理部１２２は、状態変化情報通知制御処理部１２０へ、人体検知状態の変化を知らせる。人体検知状態の変化を知った状態変化情報通知制御処理部１２０は、「状変時アナウンス（通知）」用の電文を生成し、通信制御処理部１２３、送受信回路部１２４を介してネットワーク１１０へ一斉同報にて送信する（１０２）。
【００８１】
機器A１１１の機器情報解析処理部１２７は、前記電文１０２を送受信回路部１２５、通信制御処理部１２６を介して受け取り、機器B１１２での状態変化（人体検知）を検出する（１０３）。機器情報解析処理部１２７はこの時、通知電文を受信したということで、通知内容をシステム制御処理部１２８へ渡すとともに、他機器状態通知停止処理部（図２の）２０へも渡す。他機器状態通知停止処理部では、通知停止指定情報３１を構成する通知停止対象PCコード９０に人体検知状態を示すPCコード（例えば値が０ｘ８８であった場合には、０ｘ８８）が入り、通知停止元ノード情報９１には、機器A１１１であることを示す情報（例えば、機器A１１１のアドレスなど）の値を入れた電文を構成し送信するという通知停止送信処理（１０４）を行い、機器Ａ１１１から通知停止指定の電文を送信（１０５）する。
【００８２】
機器B１１２では、送受信回路部１２４、通信制御処理部１２３を介して、状態変化情報通知処理部１２０へ電文が渡される。この電文を受けた状態変化情報通知制御処理部１２０では、通知停止指示情報処理部（図１の）１０にて電文を解析し、通知停止指定であることを判断するが、通知停止元ノード情報が、機器A１１１であることを確認し、機器Ｃ１１３には確実に受け取ってもらう必要がある場合には、通知の停止を行わず、引き続き状態変化通知を送信する（１０６）。尚、通知停止元ノード情報として上記例では、ノードのアドレスとしたが、メーカコードなど実際の設置に依存しない情報などもありえる。機器C１１３は、この状態変化通知の電文１０６を受け取り、人体検知の発生を認識できる（１０７）。
【００８３】
以上のように、本発明の形態においては、複数のコントローラ等状態の通知を受けて動作するものが存在するシステムにおいて、状態の送信元が必ず通知したい相手に対して、通知を行うことができ、システム構成に広がり（コントローラ等を１台に限定しないなど）をもたせることができるものである。
【産業上の利用可能性】
【００８４】
以上のように本発明にかかわる通信制御処理装置及びプログラムは、機器の状態変化時に状態変化情報が通知されるシステムにおいて、不要な通知によるトラフィックの増大や、通知元と通知受信先での状態のズレなどの不具合を低減することを可能とするものであり、状態変化時の通知のみならず、一斉同報通信を利用した情報の通知においても適用できる。
【図面の簡単な説明】
【００８５】
【図１】本発明の実施の形態１〜４における通信制御処理装置の１構成例を示す図
【図２】本発明の実施の形態１〜４における通信制御処理装置の１構成例を示す図
【図３】本発明の実施の形態１における通知停止指定電文内の情報の１構成例を示す図
【図４】本発明の実施の形態１におけるシーケンスの１例を示す図
【図５】本発明の実施の形態２における通知停止指定電文内の情報の１構成例を示す図
【図６】本発明の実施の形態２におけるシーケンスの１例を示す図
【図７】本発明の実施の形態３における通知停止指定電文内の情報の１構成例を示す図
【図８】本発明の実施の形態３におけるシーケンスの１例を示す図
【図９】本発明の実施の形態４における通知停止指定電文内の情報の１構成例を示す図
【図１０】本発明の実施の形態４におけるシーケンスの１例を示す図
【図１１】本発明の適用されるネットワークの１構成例を示す図
【図１２】従来の通知送信機器及び通知受信機器の１構成例を示す図
【図１３】従来の通知送信機器の状態変化情報通知制御処理部の１構成例を示す図
【図１４】本発明の適用される状態通知電文の構成例を示す図
【図１５】従来の状態変化時のシーケンスの１例を示す図
【符号の説明】
【００８６】
１０  通知停止指示情報処理部
２０  他機器状態通知停止処理部
３０  通知停止指定用の具体的コード配置部
３１  通知停止指定情報配置部
３２  通知停止指示コード配置部
４１、６１、６５、６６、６８、８２、８６、８７、８８、１０２、１０５、１０６、１５２、１５４  ネットワーク上の機器間の電文の遣り取り
４０、６２、６４、８３、８５、８９、１０３、１０４、１０７、１５３、１５５  通知送信機器における内部処理
５０  通知停止対象PCコード配置部
６０、６３、６７、８１、８４、１０１、１５１  通知受信機器における内部処理
７０、９０  通知停止対象PCコード配置部
７１  停止対象通知内容情報配置部
９１  通知停止指示ノード情報配置部
１１０  対象とする通信ネットワーク
１１１、１１２、１１３、１１４  通信制御処理装置（通信機器）
１２０  状態変化情報通知制御処理部
１２１  機器状態管理部
１２２  機器制御処理部
１２３、１２６  通信制御処理部
１２４、１２５  送受信回路部
１２７  機器情報解析処理部
１２８  システム制御処理部
１３０  通知回数情報保持部
【図１】
2005117382.tif 000003
【図２】
2005117382.tif 000004
【図３】
2005117382.tif 000005
【図４】
2005117382.tif 000006
【図５】
2005117382.tif 000007
【図６】
2005117382.tif 000008
【図７】
2005117382.tif 000009
【図８】
2005117382.tif 000010
【図９】
2005117382.tif 000011
【図１０】
2005117382.tif 000012
【図１１】
2005117382.tif 000013
【図１２】
2005117382.tif 000014
【図１３】
2005117382.tif 000015
【図１４】
2005117382.tif 000016
【図１５】
2005117382.tif 000017